(57)【要約】【課題】配線ダクトとプラグ装置とを接続するに当たり、給電用の配線が電気的に接続される前にアース用の配線が電気的に接続されることが容易である配線ダクト、プラグ装置及び配電システムを提供する。【解決手段】配線ダクト１００は、導電性を有する中空のフレーム１０と、フレーム１０の内部空間１４においてフレーム１０に保持されているハウジング２０と、内部空間１４においてハウジング２０に保持されている給電用導体３０とを備える。フレーム１０は、フレーム１０の外面の一部にアース端子１１を有する。【選択図】図１
2019067631.tif 000002
【特許請求の範囲】
【請求項１】
導電性を有する中空のフレームと、
前記フレームの内部空間において前記フレームに保持されているハウジングと、
前記内部空間において前記ハウジングに保持されている給電用導体とを備え、
前記フレームは、前記フレームの外面の一部にアース端子を有する、
配線ダクト。
【請求項２】
前記フレームは長さを有し、
前記フレームは、前記内部空間と前記フレームの外部空間とをつなぐ接続口を更に有し、
前記アース端子と前記接続口とは、前記フレームの長手方向及び前記接続口の開口する方向の両方と直交する一方向に沿って並んでいる、
請求項１に記載の配線ダクト。
【請求項３】
前記アース端子は、前記フレームの長手方向に沿った帯状に形成されている、
請求項２に記載の配線ダクト。
【請求項４】
前記フレームは、前記アース端子である第一のアース端子とは別に、前記フレームの内面の一部に前記内部空間に向けて突出する第二のアース端子を更に有し、
前記第一のアース端子は前記接続口に対して前記フレームの長手方向及び前記接続口の開口する方向の両方と直交する一方向側の位置にあり、前記第二のアース端子は前記接続口に対して前記第一のアース端子とは反対側の位置にある、
請求項２又は３に記載の配線ダクト。
【請求項５】
前記フレームの外面を覆う、電気絶縁性を有する被覆部を更に備え、
前記被覆部は、前記アース端子を露出させる露出口を有する、
請求項１から４のいずれか一項に記載の配線ダクト。
【請求項６】
配線ダクトに接続されるプラグ装置であり、
前記配線ダクトに接続される状態で前記配線ダクトの外面の一部に対向する面と、前記面から突出するアース接続端子とを備える、
プラグ装置。
【請求項７】
給電端子を更に備え、
前記配線ダクトに接続された状態において、前記給電端子と前記配線ダクトとの間に生じる接触圧は、前記アース接続端子と前記配線ダクトとの間に生じる接触圧よりも高い、
請求項６に記載のプラグ装置。
【請求項８】
前記アース接続端子が前記アース接続端子の突出する方向と反対方向に押されると前記アース接続端子に前記アース接続端子の突出する方向に弾性力をかけるバネ構造を更に備える、
請求項６又は７に記載のプラグ装置。
【請求項９】
前記バネ構造は、前記プラグ装置に固定される固定部と前記アース接続端子につながる部分である結合部とを有する板バネを備え、前記板バネは、前記固定部と前記結合部とを結ぶ線分と交差する方向に延びる部分を更に有する、
請求項８に記載のプラグ装置。
【請求項１０】
前記アース接続端子の突出する方向と反対方向への前記アース接続端子の移動を規制するストッパを更に備える、
請求項８又は９に記載のプラグ装置。
【請求項１１】
請求項１から５のいずれか一項に記載の配線ダクトと、
請求項６から１０のいずれか一項に記載のプラグ装置とを備える、
配電システム。
【発明の詳細な説明】
【技術分野】
【０００１】
本発明は、一般に配線ダクト、プラグ装置及び配電システムに関し、詳細には電力の供給経路を構成する配線ダクト、配線ダクトに接続されるプラグ装置、並びに配線ダクト及びプラグ装置を備える配電システムに関する。
【背景技術】
【０００２】
従来、電力の供給経路を構成する配線ダクトにおける任意の位置にプラグ装置を取り付け、配線ダクト及びプラグ装置を介して電気機器に電力を供給する配電システムがある（例えば特許文献１参照）。配電システムは、例えば工場、データセンタといった多数の電気機器が使用される施設に設置される。
【０００３】
一般に、配線ダクトとプラグ装置とを接続する場合、それによって給電用の配線を電気的に接続するだけでなく、アース用の配線も電気的に接続することが要求される。
【先行技術文献】
【特許文献】
【０００４】
【特許文献１】特開２０１４−２２５３５３号公報
【発明の概要】
【発明が解決しようとする課題】
【０００５】
配線ダクトにプラグ装置を接続するに当たって、給電用の配線が電気的に接続された後にアース用の配線が電気的に接続されると、短時間ではあるが、アース用の配線が電気的に接続されていないにもかかわらず給電用の配線が電気的に接続されている状態が生じる。近年の安全基準の厳格化を鑑みると、たとえ短時間であってもアース用の配線が電気的に接続されていない状態が生じないことが望ましい。
【０００６】
本発明は、配線ダクトとプラグ装置とを接続するに当たり、給電用の配線が電気的に接続される前にアース用の配線が電気的に接続されることが容易である配線ダクト、プラグ装置及び配電システムを提供することを課題とする。
【課題を解決するための手段】
【０００７】
本発明の一態様に係る配線ダクトは導電性を有する中空のフレームと、前記フレームの内部空間において前記フレームに保持されているハウジングと、前記内部空間において前記ハウジングに保持されている給電用導体とを備える。前記フレームは、前記フレームの外面の一部にアース端子を有する。
【０００８】
本発明の一態様に係るプラグ装置は、配線ダクトに接続されるプラグ装置であり、前記配線ダクトに接続される状態で前記配線ダクトの外面の一部に対向する面と、前記面から突出するアース接続端子とを備える。
【０００９】
本発明の一態様に係る配電システムは、上記の配線ダクトと、上記のプラグ装置とを備える。
【発明の効果】
【００１０】
本発明の一態様には、配線ダクトとプラグ装置とを接続するに当たり、給電用の配線が電気的に接続される前にアース用の配線が電気的に接続されることが容易であるという利点がある。
【図面の簡単な説明】
【００１１】
【図１】図１は、本発明の一実施形態に係る配線ダクト及びプラグ装置を備える配電システムの斜視図である。
【図２】図２は、同上の配電システムにおける配線ダクトにプラグ装置を接続する工程を示す断面図である。
【図３】図３は、同上の配電システムにおける配線ダクトにプラグ装置を接続する工程を示す断面図である。
【図４】図４は、同上の配電システムにおけるプラグ装置の斜視図である。
【図５】図５は、同上のプラグ装置における天板、アース板及びアース接続端子を示す斜視図である。
【図６】図６は、同上のプラグ装置におけるアース接続端子を示す斜視図である。
【図７】図７Ａ及び図７Ｂは、同上のプラグ装置の一部の斜視図である。
【発明を実施するための形態】
【００１２】
本実施形態に係る配線ダクト１００、プラグ装置２００及び配電システム３００について図１〜図７Ｂを参照して説明する。
【００１３】
配線ダクト１００及びプラグ装置２００を備える配電システム３００は、例えば施設における電気機器等に電力を供給するために用いられる。配線ダクト１００は例えば施設内に設置され、電力の供給経路を構成する。配線ダクト１００における適宜の位置に、電気機器等に繋がれたプラグ装置２００を接続することで、配線ダクト１００及びプラグ装置２００を介して電気機器等に電力を供給することができる。配電システム３００は、例えば工場、データセンタといった多数の電気機器が使用される施設に設置される。
【００１４】
図１に示す配電システム３００では、配線ダクト１００は、その長手方向が水平な一方向に沿うように設置され、配線ダクト１００の下方を向く面にプラグ装置２００が接続されている。なお、プラグ装置２００は、配線ダクトの上方を向く面等に接続されてもよい。また、配線ダクト１００は、その長手方向が鉛直方向に沿うなどの種々の姿勢で設置されてもよい。
【００１５】
以下の説明では、配電システム３００が図１に示されるとおり設置された状態での、水平面に対して垂直な（直交する）方向を「上下方向」とし、上下方向における下方（鉛直）を「下方」として説明する。また、配線ダクト１００の長手方向を「左右方向」とし、「上下方向」及び「左右方向」の両方と直交する方向を「前後方向」として説明する。また、後述する接続部８２に対してアース接続端子５０がある側を「後方」、「後方」とは反対側を「前方」として説明する。さらに、配電システム３００を正面から見て左方を「左方」、右方を「右方」として説明する。図面中の「上下方向」、「前後方向」、及び「左右方向」を示す矢印は説明のために表記しているに過ぎず、実体を伴わない。これらの方向は配電システム３００の設置状態を限定する趣旨ではない。
【００１６】
また、以下の説明では、直交する方向とは、厳密な９０°方向のみを意味するのではなく、技術常識に照らし、本実施形態が所期の作用を奏する限り、９０°方向と同視しうる方向も含む。
【００１７】
以下、配線ダクト１００におけるアース用の導体とプラグ装置２００におけるアース用の導体とを電気的に接続することを、アース接続ということがある。また、以下、配線ダクト１００における給電用の導体とプラグ装置２００における給電用の導体とを電気的に接続することを、給電接続ということがある。
【００１８】
図１〜３に示すように、配線ダクト１００は、導電性を有する中空のフレーム１０と、
このフレーム１０の内部空間１４においてフレーム１０に保持されているハウジング２０と、内部空間１４においてハウジング２０に保持されている給電用導体３０とを備える。フレーム１０は、フレーム１０の外面の一部にアース端子１１を有する。
【００１９】
本実施形態に係る配線ダクト１００には、プラグ装置と接続される場合、フレーム１０の外面においてアース端子１１とプラグ装置におけるアース用の導体との間でアース接続が可能となる。そのため、配線ダクト１００とプラグ装置の間の給電接続の前に両者間のアース接続をすることが容易である。なお、配線ダクト１００に接続されるプラグ装置は、本実施形態に係るプラグ装置２００でもよく、それ以外のプラグ装置でもよい。
【００２０】
本実施形態に係るプラグ装置２００は、配線ダクトに接続される。図２〜４に示すように、プラグ装置２００は、配線ダクトに接続される状態で配線ダクトの外面の一部に対向する面５２と、この面５２から突出するアース接続端子５０とを備える。アース接続端子５０は、プラグ装置２００におけるアース用の導体である。
【００２１】
本実施形態に係るプラグ装置２００には、配線ダクトと接続される場合、配線ダクトの外面においてアース接続端子５０と配線ダクトにおけるアース用の導体との間のアース接続が可能となる。そのため、配線ダクトとプラグ装置２００の間の給電接続の前に両者間のアース接続をすることが容易である。なお、プラグ装置２００に接続される配線ダクトは、本実施形態に係る配線ダクト１００でもよく、それ以外の配線ダクトでもよい。
【００２２】
本実施形態に係る配電システム３００は、図１〜３に示すように、上記の本実施形態に係る配線ダクト１００と、上記の本実施形態に係るプラグ装置２００とを備える。
【００２３】
本実施形態に係る配電システム３００には、配線ダクト１００とプラグ装置２００とが接続される場合、プラグ装置２００のアース接続端子５０とフレーム１０の外面におけるアース端子１１とを接触させてアース接続を行うことができるという利点がある。そのため、配線ダクト１００とプラグ装置２００との間の給電接続の前に両者間のアース接続をすることが容易である。
【００２４】
本実施形態に係る配線ダクト１００、プラグ装置２００及び配電システム３００の構成について更に詳しく説明する。なお、以下に説明する配線ダクト１００、プラグ装置２００及び配電システム３００における配電方式は単相３線式配電方式であるが、例えば三相３線式配電方式であってもよく、三相４線式配電方式であってもよい。配線ダクト１００、プラグ装置２００及び配電システム３００には、配電方式に応じた適宜の設計変更が可能である。
【００２５】
まず、本実施形態に係る配線ダクト１００について説明する。図１〜３に示すように、配線ダクト１００は、上記のとおり、フレーム１０、フレーム１０に保持されているハウジング２０、及びハウジング２０に保持されている給電用導体３０を備える。本実施形態では、配線ダクト１００は、更に被覆部４０も備える。
【００２６】
フレーム１０は、導電性を有し、例えば金属製である。フレーム１０は長さを有する。すなわち、フレーム１０は長尺である。フレーム１０の長手方向は左右方向に一致する。また、フレーム１０は、筒状であり、筒の軸は左右方向に沿っている。フレーム１０は、フレーム１０の内部空間１４とフレーム１０の外部空間とをつなぐ接続口１２を更に有する。接続口１２は、フレーム１０の外面における下方を向く面にあり、接続口１２の開口する方向は下方である。接続口１２は、左右方向に沿ったスリット状である。なお、接続口１２の開口する方向とは、接続口１２がフレーム１０の外部空間に向く方向である。
【００２７】
ハウジング２０は、電気絶縁性を有し、例えば合成樹脂製である。ハウジング２０は、フレーム１０の内面を覆っている。ハウジング２０は、第一保持部２１、第二保持部２２及び第三保持部２３を有する。第一保持部２１は接続口１２の上方の、接続口１２と対向する位置にある。第二保持部２２及び第三保持部２３は、接続口１２と第一保持部２１との間において、前後方向に並んで位置している。
【００２８】
第一保持部２１、第二保持部２２及び第三保持部２３の各々は、給電用導体３０を保持している。以下、第一保持部２１が保持する給電用導体３０、第二保持部２２が保持する給電用導体３０、及び第三保持部２３が保持する給電用導体３０を、それぞれ第一の給電用導体３１、第二の給電用導体３２及び第三の給電用導体３３という。給電用導体３０は、導電性を有し、例えば金属製である。給電用導体３０は、左右方向に沿った長さを有する棒状である。第一の給電用導体３１、第二の給電用導体３２及び第三の給電用導体３３は、それぞれ第一保持部２１、第二保持部２２及び第三保持部２３に埋め込まれることで、保持されている。第一の給電用導体３１は例えば単相３線配線のＳ極であり、第二の給電用導体３２及び第三の給電用導体３３はそれぞれ例えば単相３線配線におけるＲ極及びＴ極である。
【００２９】
第一保持部２１は、第一の給電用導体３１を露出させる第一の通孔２４を有する。第一の通孔２４は、フレーム１０の内部空間１４に向けて下方に開口しており、接続口１２と対向している。第二保持部２２は第二の給電用導体３２に通じる第二の通孔２５を有し、第三保持部２３は第三の給電用導体３３に通じる第三の通孔２６を有する。第二の通孔２５及び第三の通孔２６はフレーム１０の内部空間１４に向けてそれぞれ前方及び後方に開口しており、互いに対向している。
【００３０】
被覆部４０は、フレーム１０の外面を覆っている。被覆部４０は、電気絶縁性を有し、例えば合成樹脂製である。本実施形態では、被覆部４０とハウジング２０とは連続して一つの部材を構成している。被覆部４０とハウジング２０とで構成されている部材にフレーム１０が埋め込まれているともいえるし、フレーム１０が被覆部４０とハウジング２０とで構成されている部材で覆われているともいえる。
【００３１】
フレーム１０は、その外面の一部にアース端子１１を有する。アース端子１１は、フレーム１０の長手方向に沿った（すなわち、左右方向に沿った）帯状である。ハウジング２０は、このアース端子１１を露出させる露出口４１を有する。露出口４１は、アース端子１１と同様に、フレーム１０の長手方向に沿った帯状である。フレーム１０の外面における、露出口４１で露出する部分が、アース端子１１であるともいえる。
【００３２】
フレーム１０は、その内面の一部に第二のアース端子１３を有する。本実施形態では、フレーム１０は内部空間１５に向けて突出する突出部を有し、この突出部における内部空間１４に露出する面が第二のアース端子１３である。このため、第二のアース端子１３はフレーム１０の内部空間１４に向けて突出している。なお、突出部は、フレーム１０の一部が屈曲されることで形成されうるが、それ以外の構成であっても、第二のアース端子１３が内部空間１４に突出するような形状であればよい。第二のアース端子１３は、第二のアース端子１３の突出する方向とは反対方向から見ると、フレーム１０の長手方向に沿った帯状である。ハウジング２０は、第二のアース端子１３を露出させる第二の露出口２７を有する。第二の露出口２７は、第二のアース端子１３と同様に、フレーム１０の長手方向に沿った（すなわち、左右方向に沿った）帯状である。第二のアース端子１３は、第二の露出口２７を通じて、ハウジング２０の内面よりもフレーム１０の内部空間１４へ突出している。フレーム１０の内面における、第二の露出口２７で露出する部分が、第二のアース端子１３であるともいえる。
【００３３】
アース端子１１は下方に向いており、すなわち接続口１２の開口する方向と同じ方向に向いている。また、第二のアース端子１３は上方に向いて（すなわち上方に突出して）おり、すなわち接続口１２の開口する方向とは反対方に向いている。アース端子１１と接続口１２とは、後方から前方に、すなわちフレーム１０の長手方向及び接続口１２の開口する方向の両方と直交する方向に沿って、並んでいる。このため、配線ダクト１００にプラグ装置を接続する際に、接続口１２を通じて給電接続を生じさせ、かつアース端子１１を利用してアース接続を生じさせることが、容易である。さらに、アース端子１１は接続口１２に対してフレーム１０の長手方向及び接続口１２の開口する方向の両方と直交する一方向側の位置にあり、第二のアース端子１３は接続口１２に対してアース端子１１とは反対側の位置にある。すなわち、アース端子１１、接続口１２及び第二のアース端子１３は、この順に、後方から前方に並んでいる。
【００３４】
なお、本実施形態におけるフレーム１０は上記のとおり第二のアース端子１３を有するが、フレーム１０は第二のアース端子１３を有さなくてもよい。また、本実施形態におけるフレーム１０は上記のとおりアース端子１１を接続口１２に対して後方側の位置にのみ有する。しかし、フレーム１０は、接続口１２に対してフレーム１０の後方側の位置と前方側の位置との各々に、アース端子１１を有してもよい。
【００３５】
次に、本実施形態に係るプラグ装置２００について説明する。
【００３６】
図２〜４に示すように、プラグ装置２００は、配線ダクトに接続される状態で配線ダクトの外面の一部に対向する面５２（以下、対向面５２という）と、この対向面５２から突出するアース接続端子５０とを備える。プラグ装置２００は、給電端子７０を更に備える。アース接続端子５０は、プラグ装置２００が配線ダクトに接続されると、配線ダクトにおけるアース用の導体と電気的に接続されることで、アース接続を生じさせる。給電端子７０は、プラグ装置２００が配線ダクトに接続されると、配線ダクトにおける給電用の導体と電気的に接続されることで、給電接続を生じさせる。プラグ装置２００には、ケーブル４００が接続されている。ケーブル４００は、アース接続端子５０に電気的に接続されているアース線、及び給電端子７０に電気的に接続されている電線を、有している。本実施形態ではプラグ装置２００は回路遮断機を更に備えている。回路遮断機は、給電端子７０と電線との間に電気的に接続されている。
【００３７】
プラグ装置２００は、本体部８１と、本体部８１から上方に突出する接続部８２とを備える。対向面５２は、プラグ装置２００の上方の端部にあり、上方を向いている。接続部８２は本体部８１の対向面５２から上方に突出する。ケーブル４００は本体部８１の、下方の端部に接続されている。アース接続端子５０は本体部８１の、上方の端部に設けられ、給電端子７０は接続部８２に設けられ、遮断器は本体部８１に収納されている。
【００３８】
プラグ装置２００の細部を更に説明する。
【００３９】
図２〜４に示すように、接続部８２は、本体部８１の対向面５２から突出している。接続部８２は、後方を向く第一側面８３と前方を向く第二側面８４を有する。第一側面８３と第二側面８４の間の寸法は接続口１２の幅寸法よりも小さい。接続部８２は、接続部８２の上方の端部における、第一側面８３側の縁部と第二側面８４側の縁部の各々に、上方へ突出するリブ８５を有する。
【００４０】
図２〜４に示すように、アース接続端子５０は、本体部８１の対向面５２から上方に突出する。本体部８１の対向面５２は、孔８１１を有し、この孔８１１からアース接続端子５０が突出している。
【００４１】
アース接続端子５０の構成について、詳しく説明する。本体部８１は、対向面５２を構成する天板８１２と、本体部８１の内部に収納されている金属製のアース板８１３とを備える（特に図２、３及び５参照）。アース板８１３は、アース線が接続される端子８１４を有する。アース板８１３は、天板８１２の下面に重なる接続板８１５を有し、接続板８１５は天板８１２にリベット８１６で固定されている。孔８１１は、天板８１２とアース板８１３とを貫通する。
【００４２】
本実施形態では、図６に示すように、プラグ装置２００はバネ構造６０を備える。アース接続端子５０はバネ構造６０に電気的に接続されている。バネ構造６０は、アース接続端子５０がその突出する方向と反対方向に押されるとアース接続端子５０にその突出する方向に弾性力をかける。具体的には、プラグ装置２００はアース部材５３を備える。アース部材５３がアース接続端子５０とバネ構造６０とを備える。アース部材５３は、屈曲した帯状の金属板から形成される。アース接続端子５０は、屈曲していることで山形の形状を有し、アース接続端子５０の頂部がアース接続端子５０の突出する方向に向いている。バネ構造６０は、アース接続端子５０における突出方向とは反対側の端部につながる二つの板バネ６１を備える。このため、アース接続端子５０と板バネ６１とは電気的に接続されている。
【００４３】
板バネ６１は、プラグ装置２００に対して固定されている固定部６４と、アース接続端子につながっている部分である結合部６５とを、有する。板バネ６１は、固定部６４と結合部６５との間に、固定部６４と結合部６５とを結ぶ線分とは交差する方向に延びる部分を、更に有している。図６に示される板バネ６１は、長さ及び厚みを有し、長さに沿った方向及び厚みに沿った方向の両方に対して直交する方向と交互に湾曲する形状を有する。すなわち、板バネ６１は、蛇行する形状を有する。このように板バネ６１は、湾曲する部分を有することで、固定部６４との結合部６５とを結ぶ線分とは交差する方向に延びる部分を有することができる。これにより、板バネ６１は、固定部６４から結合部６５までの間の実効的な寸法を、固定部６４と結合部６５とを結ぶ線分の寸法よりも長くできる。
【００４４】
各板バネ６１の固定部６４には、リベット孔６２が形成されている。図５に示すように、板バネ６１は接続板８１５に接するように重ねられ、アース接続端子５０が孔８１１に通されて対向面５２の向く方向、すなわち上方へ突出している。板バネ６１はリベット孔６２に通されたリベット６３で天板８１２及び接続板８１５に固定されている。これにより、アース接続端子５０は、バネ構造６０を介してアース板８１３に電気的に接続された状態で、本体部８１の対向面５２から突出している。
【００４５】
アース接続端子５０が上記構成を備えるため、アース接続端子５０が下方へ押されると、バネ構造６０が弾性変形することで、アース接続端子５０は下方へ移動する。このときアース接続端子５０には、バネ構造６０によって、上方へ向かう弾性力がかけられ、アース接続端子５０は元の位置に戻ろうとする。上記のように板バネ６１の固定部６４から結合部６５までの間の実効的な寸法は、固定部６４と結合部６５とを結ぶ線分の寸法より長いため、板バネ６１に、その見かけ上の寸法に比して小さい弾性力を生じさせることができる。そのため、アース接続端子５０が押された場合、アース接続端子５０を容易に移動させ、かつアース接続端子５０に適度に小さい弾性力をかけることができる。
【００４６】
本実施形態では、プラグ装置２００は、アース接続端子５０のその突出する方向とは反対方向への移動を規制するストッパ５１を備える（図２、３及び５参照）。ストッパ５１は、アース板８１３の一部である。ストッパ５１は、アース接続端子５０の下方にあり、アース接続端子５０と間隔をあけて対向している。このため、アース接続端子５０が押されて移動しても、アース接続端子５０がストッパ５１に接触すると、アース接続端子５０はそれ以上移動できなくなる。このため、アース接続端子５０の、その突出する方向とは反対方向側への移動量は、アース接続端子５０が押されていない状態におけるアース接続端子５０とストッパ５１との間隔の寸法以下に制限される。プラグ装置２００がこのようなストッパ５１を備えると、アース接続端子５０が意図せず押されても、ストッパ５１は、アース接続端子５０の移動を規制できる。そのため、バネ構造６０が過度に変形されることで破損することを抑制できる。ストッパ５１によって制限される移動量は、バネ構造６０が過度の変形によって破損しないように適宜設定される。
【００４７】
図２〜４、図７Ａ及び図７Ｂに示すように、接続部８２は、三つの給電端子７０（第一の給電端子７１、第二の給電端子７２及び第三の給電端子７３）を備える。第一の給電端子７１は、接続部８２の上方を向く面における二つのリブ８５の間の位置から上方へ突出する（特に図２〜４参照）。第二の給電端子７２は、接続部８２内に収まっている位置と、接続部８２の第一側面８３から後方へ突出する位置との間で、移動可能である（特に図７Ａ参照）。第一側面８３は、孔８６を有し、第二の給電端子７２が第一側面８３から突出する状態ではこの孔８６から第二の給電端子７２が突出する。第三の給電端子７３は、接続部８２内に収まっている状態と、接続部８２の第二側面８４から前方へ突出する状態との間で、移動可能である（特に図７Ｂ参照）。この第二側面８４も、孔８７を有し、第三の給電端子７３が第二側面８４から突出する状態ではこの孔８７から第三の給電端子７３が突出する。
【００４８】
本体部８１は、上方の端部に、第一操作部８８と第二操作部８９を有する（特に図７Ａ及び図７Ｂ参照）。第一操作部８８は第二の給電端子７２を移動させるレバー８８１を有する。レバー８８１はスライド移動可能であり、レバー８８１の移動と連動して第二の給電端子７２が移動する。第二操作部８９は、第三の給電端子７３を移動させるレバー８９１を有する。レバー８９１はスライド移動可能であり、レバー８９１の移動と連動して第三の給電端子７３が移動する。
【００４９】
第一操作部８８の上部に第一固定具９１が設けられ、第二操作部８９の上部に第二固定具９２が設けられている（特に図７Ａ及び図７Ｂ参照）。第一固定具９１、接続部８２、及び第二固定具９２は、この順に、左方から右方へ並んでいる。各固定具９１、９２は放下方向に沿った回転軸を中心に回転可能である。第一固定具９１は、回転することで、接続部８２の第一側面８３及び第二側面８４よりも突出しない状態と、第一固定具９１の両端がそれぞれ第一側面８３より後方及び第二側面８４より前方に突出する状態との間で、切替え可能である。第二固定具９２も、回転することで、接続部８２の第一側面８３及び第二側面８４よりも突出しない状態と、両端がそれぞれ第一側面８３より後方及び第二側面８４より前方へ突出する状態との間で、切替え可能である。第一固定具９１及び第二固定具９２は導電性を有し、アース線に電気的に接続されている。
【００５０】
第一固定具９１は、第一操作部８８のレバー８８１の移動と連動して回転する。すなわち、第二の給電端子７２と第一固定具９１とはレバー８８１が移動することで連動して移動する。第二の給電端子７２が接続部８２内にあるときは、第一固定具９１は第一側面８３及び第二側面８４よりも突出しない状態にある。第二の給電端子７２が第一側面８３から突出する位置にあるときは、第一固定具９１は両端がそれぞれ第一側面８３より後方及び第二側面８４より前方に突出する状態にある。第二固定具９２は、第三の給電端子７３と同様、第二操作部８９のレバー８９１の移動と連動して回転する。すなわち、第三の給電端子７３と第二固定具９２とはレバー８９１が移動することで連動して移動する。第三の給電端子７３が接続部８２内にあるときは、第二固定具９２は第一側面８３及び第二側面８４よりも突出しない状態にある。第三の給電端子７３が第二側面８４から突出する位置にあるときは、第二固定具９２は両端がそれぞれ第一側面８３より後方及び第二側面８４より前方に突出する状態にある。
【００５１】
本実施形態では、上記のようにプラグ装置２００は給電端子７０と電線との間に回路遮断機を備えているが、回路遮断機を備えていなくてもよい。また、プラグ装置２００は、例えば漏電遮断機、端子台、変流器（ＣＴ）といった装置を備えていてもよい。
【００５２】
本実施形態に係る配電システム３００について説明する。図１〜３に示すように、配電システム３００は、上記の本実施形態に係る配線ダクト１００及び本実施形態に係るプラグ装置２００を備える。
【００５３】
配線ダクト１００にプラグ装置２００を接続する場合、プラグ装置２００において、第二の給電端子７２と第三の給電端子７３とを接続部８２内に収まる位置に配置する。さらに、第一固定具９１と第二固定具９２とを接続部８２の第一側面８３及び第二側面８４よりも突出しない状態にしておく。この状態で、配線ダクト１００に対してプラグ装置２００を、対向面５２が配線ダクト１００の外面のうち接続口１２がある部分と対向し、接続部８２が接続口１２と対向し、かつアース接続端子５０がアース端子１１と対向するように位置合わせして配置する。なお、本実施形態では、プラグ装置２００は、対向面５２から突出する凸部５４を有し、配線ダクト１００はプラグ装置２００が位置合わせされてた状態で凸部５４が嵌まりうる凹部５５を有する。正しく位置合わせされた状態で配線ダクト１００にプラグ装置２００が接続されると、凸部５４が凹部５５に嵌まる。プラグ装置２００が前後逆に配置されるなどして正しく位置合わせされていないと、凸部５４が配線ダクト１００の外面に嵌まらず、配線ダクト１００にプラグ装置２００を接続できない。このため、プラグ装置２００の位置合わせが容易である。
【００５４】
この状態で、接続部８２を接続口１２から配線ダクト１００の内部空間１４に入れる。接続部８２は、内部空間１４において、第二保持部２２と第三保持部２３との間に入り、第一保持部２１に向けて上方に移動する。そうすると、まず、図２に示すように、アース接続端子５０がアース端子１１と接触してアース端子１１に電気的に接続され、更にアース接続端子５０がアース端子１１に押されることで下方へ移動する。続いて、図３に示すように、第一の給電端子７１が第一の通孔２４を通って第一の給電用導体３１に接触して第一の給電用導体３１に電気的に接続される。接続部８２は、第二保持部２２と第三保持部２３と間に配置される。このとき第一側面８３が第二保持部２２に対向し、第一側面８３の孔８６が第二保持部２２の第二の通孔２５と対向する。また、第二側面８４が第三保持部２３に対向し、第二側面８４の孔８７が第三保持部２３の第三の通孔２６と対向する。この状態で各レバー８８１、８９１が操作されてスライドすると、第二の給電端子７２が孔８６を通って第一側面８３から突出し、かつ第三の給電端子７３が孔８７を通って第二側面８４から突出する。また、第一固定具９１の両端がそれぞれ第一側面８３より後方及び第二側面８４より前方に突出し、かつ第二固定具９２の両端もそれぞれ第一側面８３より後方及び第二側面８４より前方に突出する。このため、第二の給電端子７２は第二の通孔２５を通って第二の給電用導体３２と接触して第二の給電用導体３２に電気的に接続され、第三の給電端子７３は第三の通孔２６を通って第三の給電用導体３３と接触して第三の給電用導体３３に電気的に接続される。また、第一固定具９１の両端及び第二固定具９２の両端は、配線ダクト１００の内面に引っかかり、これにより、配線ダクト１００からのプラグ装置２００の抜け止めがされる。さらに、第一固定具９１及び第二固定具９２は、第二のアース端子１３と重なって接触して電気的に接続される。これにより、配線ダクト１００にプラグ装置２００が接続される。
【００５５】
本実施形態に係る配電システム３００では、第一の給電端子７１、第二の給電端子７２及び第三の給電端子７３がそれぞれ第一の給電用導体３１、第二の給電用導体３２及び第三の給電用導体３３と電気的に接続されることで、給電接続が生じる。本実施形態では、この給電接続が生じる前に、アース端子１１がアース接続端子５０と接触することでアース接続が生じる。
【００５６】
配線ダクト１００にプラグ装置２００を接続するに当たって、給電接続が生じる前にアース接続が生じるために、本実施形態では、上記のとおり、アース端子１１とアース接続端子５０とが接触してから、第一の給電用導体３１と第一の給電端子７１とが接触する。そのため、本実施形態では、配線ダクト１００におけるアース端子１１と第一の給電用導体３１との位置関係と、プラグ装置２００におけるアース接続端子５０と第一の給電端子７１との位置関係が適切に設定される。さらに、本実施形態では、第二の給電端子７２と第三の給電端子７３が接続部８２内に収まっている状態と接続部８２から突出する状態との間で移動可能である。そのため、アース接続が生じた後に、第二の給電端子７２と第三の給電端子７３を接続部８２内から移動させて接続部８２から突出させて、第二の給電用導体３２及び第三の給電用導体３３とそれぞれ電気的に接続させることができる。
【００５７】
本実施形態では、上記の構成によって給電接続が生じる前にアース接続を生じさせる。本実施形態では給電用導体３０に給電端子７０が突き当たって接触することで給電接続が生じる。そのため、本実施形態では、配線ダクト１００にプラグ装置２００を接続するに当たって、配線ダクト１００にプラグ装置２００を両者の接続が達成される位置まで押し込むことで給電接続を生じさせ、それより前には給電接続が生じないようにできる。そのため、給電接続が生じる前にアース端子１１にアース接続端子５０を接触させてアース接続を生じさせることが容易である。また、アース接続端子５０の移動量が小さくても、給電接続が生じる前にアース接続を生じさせることが容易であり、そのため、プラグ装置２００のコンパクト化が可能である。ただし、給電用導体３０と給電端子７０との電気的接続がされる前にアース端子１１とアース接続端子５０との間のアース接続が達成できるのであれば、給電用導体３０及び給電端子７０の構造及び両者の接続の方式は、いかなる構造及び方式でもよい。
【００５８】
また、本実施形態では、アース端子１１とアース接続端子５０との間だけでなく、第一固定具９１及び第二固定具９２と第二のアース端子１３との間でもアース接続ができるので、アース接続をより確実に達成できる。なお、本実施形態ではプラグ装置２００は固定具として第一固定具９１及び第二固定具９２を備えるが、プラグ装置２００は少なくとも一つの固定具を備えるならば、その個数は幾つでもよい。プラグ装置２００が複数の固定具を備える場合、少なくとも一つの固定具が第二のアース端子１３との間でアース接続できればよい。固定具がアース接続の機能を有さず、アース端子１１とアース接続端子５０との間のみでアース接続がされてもよい。
【００５９】
本実施形態では、上記のようにプラグ装置２００がバネ構造６０を備える。そのため、アース接続端子５０が押されることで移動すると、バネ構造６０がアース接続端子５０に弾性力をかけることができる。このため、プラグ装置２００が配線ダクト１００に接続された状態において、第一の給電端子７１と配線ダクト１００との間に生じる接触圧を、アース接続端子５０と配線ダクト１００との間に生じる接触圧よりも高くできる。これにより、アース接続端子５０の破損が抑制される。
【００６０】
なお、本実施形態ではバネ構造６０によって接触圧が制御されているが、他の適宜の手段で接触圧が制御されてもよい。
【００６１】
また、本実施形態では、板バネ６１は、上記のように蛇行する形状を有することで固定部６４との結合部６５とを結ぶ線分とは交差する方向に延びる部分を含む。しかし、板バネ６１がこれ以外の形容を有することで、固定部６４との結合部６５とを結ぶ線分とは交差する方向に延びる部分を含んでもよい。例えば板バネ６１が全体として弧を描くような形状を有してもよい。板バネ６１が、固定部６４との結合部６５とを結ぶ線分とは交差する方向に延びる部分を含まなくてもよい。
【００６２】
また、本実施形態ではバネ構造６０は板バネ６１であるが、アース接続端子５０がその突出する方向と反対方向に押されるとアース接続端子５０にその突出する方向に弾性力をかけることができるのであれば、板バネ６１以外の適宜の構造を有することができる。また、本実施形態ではプラグ装置２００はアース接続端子５０とバネ構造６０とを有するアース部材５３を備えるが、アース接続端子５０が弾性変形可能であることによってアース接続端子５０がバネ構造６０を有していてもよい。
【００６３】
本実施形態では、ストッパ５１はアース板８１３の一部であって、アース接続端子５０に対してアース接続端子５０の突出する方向とは反対側の位置にあることでアース接続端子５０の移動を規制するが、ストッパ５１はこれ以外の適宜の構成を有してもよい。すなわち、ストッパ５１は、アース接続端子５０及びバネ構造６０の構成に応じた適宜の構成を有すればよい。また、プラグ装置２００はストッパ５１を備えなくてもよい。
【００６４】
本実施形態では、上記のようにアース端子１１はフレーム１０の長手方向に沿った帯状である。そのため、配線ダクト１００におけるプラグ装置２００の接続位置を配線ダクト１００の長手方向に沿って変更しても、アース端子１１とアース接続端子５０との間のアース接続を行うことができる。配線ダクト１００にプラグ装置２００を接続する場合、プラグ装置２００の接続位置を除き、接続口１２をカバーで塞いでもよい。
【００６５】
本実施形態に係る配線ダクト１００、プラグ装置２００及び配電システム３００は、上記の説明のみに制限されず、必要に応じて種々の構成の追加、削除、又は置換といった設計変更が可能である。
【００６６】
例えば、接続口１２の形状は上記の説明に限られない。接続口１２はフレーム１０の内部空間１４と外部空間とをつなげるならば、フレーム１０における種々の位置に設けられることができ、種々の形状を有することができる。例えば接続口１２は、フレーム１０の長手方向の特定の位置に設けられた、矩形状等の適宜の形状を有する孔であってもよい。フレームが複数の接続口１２を有し、これらの接続口１２がフレーム１０の長手方向に並んでいてもよい。その場合、プラグ装置２００の接続の作業をする者は、いずれかの接続口１２を選択してプラグ装置２００を接続することができる。
【００６７】
また、アース端子１１の位置及び形状も上記説明に限られない。フレーム１０の外面の一部にアース端子１１があれば、給電接続の前にアース接続を行うことが容易である。例えばアース端子１１が帯状ではなく、フレーム１０の長手方向の特定の位置のみに設けられていてもよい。また、例えばフレーム１０が複数の接続口１２を有する場合、接続口１２ごとにアース端子１１が設けられていてもよい。ただし、上記説明のように、接続口１２とアース端子１１とが並んで配置されており、又は更に接続口１２の開口する方向とアース端子１１の向く方向とが同じであれば、特に好ましい。この場合、プラグ装置を接続口１２に接続する場合に、プラグ装置におけるアース用の導体をアース端子１１に特に容易に接触させることができる。
【００６８】
またアース接続端子５０の位置、個数、及び構造等も上記説明に限られない。アース接続端子５０がプラグ装置２００の対向面５２から突出するのであれば、給電接続の前にアース接続を行うことが容易である。例えば、プラグ装置２００が二つのアース接続端子５０を有し、接続部８２が二つのアース接続端子５０の間の位置に配置されていてもよい。この場合、本実施形態に係る配線ダクト１００のフレーム１０は、二つのアース接続端子５０の各々に対応するアース端子１１を有していてもよい。アース接続端子５０の個数が三以上であってもよい。
【００６９】
（まとめ）
第一の態様に係る配線ダクト（１００）は、導電性を有する中空のフレーム（１０）と、フレーム（１０）の内部空間（１４）においてフレーム（１０）に保持されているハウジング（２０）と、内部空間（１４）においてハウジング（２０）に保持されている給電用導体（３０）とを備える。フレーム（１０）は、フレーム（１０）の外面の一部にアース端子（１１）を有する。
【００７０】
この構成によれば、配線ダクト（１００）がプラグ装置と接続される場合、フレーム（１０）の外面においてアース端子（１１）とプラグ装置におけるアース用の導体との間でアース接続が可能となる。そのため、配線ダクト（１００）とプラグ装置の間の給電接続の前に両者間のアース接続をすることが容易である。
【００７１】
第二の態様に係る配線ダクト（１００）では、第一の態様において、フレーム（１０）は長さを有し、フレーム（１０）は、内部空間（１４）とフレーム（１０）の外部空間とをつなぐ接続口（１２）を更に有し、アース端子（１１）と接続口（１２）とは、フレーム（１０）の長手方向及び接続口（１２）の開口する方向の両方と直交する方向に沿って並んでいる。
【００７２】
この構成によれば、アース端子（１１）がフレーム（１０）の外面で接続口（１２）と並んでいるため、プラグ装置を接続口（１２）に取り付ける際にアース接続をすることが容易になる。
【００７３】
第三の態様に係る配線ダクト（１００）では、第二の態様において、アース端子（１１）は、フレーム（１０）の長手方向に沿った帯状の形成されている。
【００７４】
この構成によれば、配線ダクト（１００）におけるプラグ装置の接続位置を配線ダクト（１００）の長手方向に沿って移動しても、アース接続を行うことができる。
【００７５】
第四の態様に係る配線ダクト（１００）では、第二又は第三の態様において、フレーム（１０）は、アース端子（１１）である第一のアース端子（１１）とは別に、フレーム（１０）の内面の一部に内部空間（１４）に向けて突出する第二のアース端子（１３）を更に有する。第一のアース端子（１１）は接続口（１２）に対してフレーム（１０）の長手方向及び接続口（１２）の開口する方向の両方と直交する一方向側の位置にある。第二のアース端子（１３）は接続口（１２）に対して第一のアース端子（１１）とは反対側の位置にある。
【００７６】
この構成によれば、第一のアース端子（１１）だけでなく第二のアース端子（１３）も利用してアース接続を行うことができる。
【００７７】
第五の態様に係る配線ダクト（１００）は、第一から第四のいずれか一の態様において、フレーム（１０）の外面を覆う、電気絶縁性を有する被覆部（４０）を更に備える。被覆部（４０）は、アース端子（１１）を露出させる露出口（４１）を有する。
【００７８】
この構成によれば、露出口（４１）によってアース端子（１１）を露出させることで、アース接続が容易になるという利点がある。
【００７９】
第六の態様に係るプラグ装置（２００）は、配線ダクトに接続される。プラグ装置（２００）は、配線ダクトに接続される状態で配線ダクトの外面の一部に対向する面（５２）と、この面（５２）から突出するアース接続端子（５０）とを備える。
【００８０】
この構成によれば、配線ダクトがプラグ装置（２００）と接続される場合、配線ダクトの外面においてアース接続端子（５０）を利用してアース接続が可能となるという利点がある。そのため、配線ダクトとプラグ装置（２００）の間の給電接続の前に両者間のアース接続をすることが容易である。
【００８１】
第七の態様に係るプラグ装置（２００）は、第六の態様において、給電端子（７０）を更に備える。プラグ装置（２００）が配線ダクトに接続された状態において、給電端子（７０）と配線ダクトとの間に生じる接触圧は、アース接続端子（５０）と配線ダクトとの間に生じる接触圧よりも高い。
【００８２】
この構成によれば、給電端子（７０）が押される前にアース接続端子（５０）が押されても、アース接続端子（５０）の破損が抑制される。
【００８３】
第八の態様に係るプラグ装置（２００）では、第六又は第七の態様において、アース接続端子（５０）がアース接続端子（５０）の突出する方向と反対方向に押されるとアース接続端子（５０）にアース接続端子（５０）の突出する方向に弾性力をかけるバネ構造（６０）を更に備える。
【００８４】
この構成によれば、アース接続端子（５０）が押された場合にアース接続端子（５０）に適度な弾性力をかけることができる。このためアース接続端子（５０）は、配線ダクトにおけるアース用の導体に適度な接触圧で接して安定した電気的接続を生じさせることができ、かつアース接続端子（５０）の破損が抑制される。
【００８５】
第九の態様に係るプラグ装置（２００）では、第八の態様において、バネ構造は、プラグ装置（２００）に固定される固定部（６４）とアース接続端子（５０）につながる部分である結合部（６５）とを有する板バネ（６１）を備える。板バネ（６１）は、固定部（６４）と結合部（６５）とを結ぶ線分と交差する方向に延びる部分を更に有する。
【００８６】
この構成によれば、板バネ（６１）の固定部（６４）と結合部（６５）との間の見かけ上の寸法に対する実効的な寸法を大きくでき、これにより、板バネ（６１）に、その見かけ上の寸法に比して小さい弾性力を生じさせることができる。このため、アース接続端子（５０）と配線ダクトとの間に生じる接触圧を低減できる。
【００８７】
第十の態様に係るプラグ装置（２００）は、第八又は第九の態様において、アース接続端子（５０）の突出する方向と反対方向へのアース接続端子（５０）の移動を規制するストッパ（５１）を更に備える。
【００８８】
この構成によれば、アース接続端子（５０）の移動を規制することに伴って、バネ構造（６０）が過度に変形することを抑制でき、これによりバネ構造（６０）の破損を抑制できる。
【００８９】
第十一の態様に係る配電システム（３００）は、第一から第五のいずれか一の態様に係る配線ダクト（１００）と、第六から第十のいずれか一の態様に係るプラグ装置（２００）とを備える。
【００９０】
この構成によれば、配線ダクト（１００）とプラグ装置（２００）とを接続するに当たり、給電用導体（３０）と給電端子（７０）とが電気的に接続される前にアース端子（１１）とアース接続端子（５０）とが電気的に接続されることが容易である。
【符号の説明】
【００９１】
１００  配線ダクト
２００  プラグ装置
３００  配電システム
１０  フレーム
１１  アース端子
１２  接続口
１３  第二のアース端子
１４  内部空間
２０  ハウジング
３０  給電用導体
４０  被覆部
４１  露出口
５０  アース接続端子
５１  ストッパ
５２  面（対向面）
６０  バネ構造
６１  板バネ
６４  固定部
６５  接続部
７０  給電端子
【図１】
2019067631.tif 000003
【図２】
2019067631.tif 000004
【図３】
2019067631.tif 000005
【図４】
2019067631.tif 000006
【図５】
2019067631.tif 000007
【図６】
2019067631.tif 000008
【図７】
2019067631.tif 000009